(57)【要約】【課題】超音波診断装置を容易に移動できるコンパクトな移動用取手を提供する。【解決手段】本体１１の内部に格納される格納位置と、一端が本体の上面１１ａから突出する使用位置との間で昇降可能な昇降アーム２１と、昇降アーム２１の一端に回転自在に取り付けられ、昇降アーム２１が格納位置にある場合には先端が昇降方向に向かい、昇降アーム２１が使用位置にある場合には先端が昇降方向と異なる使用方向に向かう回転アーム２２と、回転アーム２２に取り付けられ、超音波診断装置１０を移動させる際に握られるハンドル２３と、を有する。【選択図】図４
2009273507.tif 000002
【特許請求の範囲】
【請求項１】
床面上を移動しうる超音波診断装置の移動用取手であって、
本体の内部に格納される格納位置と、一端が本体上面から突出する使用位置との間で昇降可能な昇降アームと、
昇降アームの一端に回転自在に取り付けられ、昇降アームが格納位置にある場合には先端が昇降方向に向かい、昇降アームが使用位置にある場合には先端が昇降方向と異なる使用方向に向かう回転アームと、
回転アームに取り付けられ、超音波診断装置を移動させる際に握られるハンドルと、を有することを特徴とする超音波診断装置の移動用取手。
【請求項２】
請求項１に記載の超音波診断装置の移動用取手であって、
昇降アームの昇降位置を格納位置と使用位置との間の位置に調節する昇降位置調節機構と、
回転アームの先端の方向を昇降方向と使用方向との間の方向にロックする回転ロック機構と、
を備えることを特徴とする超音波診断装置の移動用取手。
【発明の詳細な説明】
【技術分野】
【０００１】
本発明は、超音波診断装置の移動用取手の構造に関する。
【背景技術】
【０００２】
超音波診断装置は、超音波を用いて患者の断層像等を撮影し、撮影した画像をモニタに表示するもので、多くの病院などで使用されている。この様な超音波診断装置は、一般に診察室内で固定的に使用されることが多いが、他の診察室へ移動して用いられたり、病室内に移動させて使用されたりする場合がある。このため、一般的な超音波診断装置には底面に４つのキャスタが配置され、超音波診断装置の電子機器の搭載された本体に設けられた取手を押し引きすることによって人為的な力によって病院内を移動することができるように構成されている（例えば、特許文献１参照）。
【０００３】
【特許文献１】実開平５−７６４１１号公報
【発明の開示】
【発明が解決しようとする課題】
【０００４】
ところで、近年、超音波診断装置の機能向上に伴い、その形状が大型となり、重量も増大する方向にある。このため超音波診断装置を移動させる場合には、より大きな力を掛けることが必要となって来ている。しかし、従来の超音波診断装置の取手は本体に固定されていたため、超音波診断装置を移動させる作業者の体格に合っていない場合もあり、作業者が取手に力を入れにくい体勢で超音波診断装置を移動させなければならない場合があった。このような場合は、作業者の負担が大きくなってしまう場合があった。
【０００５】
また、超音波診断装置の大型化、重量増によって取手の大きさも大きくなってくる方向にある。しかし、取手は超音波診断装置を移動させる際にのみ使用するものであり、診察室にセットする場合には、邪魔になってしまうものである。特に大きな取手は狭い診察室の中ではスペース上の問題となる場合が多かった。
【０００６】
本発明は、超音波診断装置を容易に移動できるコンパクトな移動用取手を提供することを目的とする。
【課題を解決するための手段】
【０００７】
本発明の超音波診断装置の移動用取手は、床面上を移動しうる超音波診断装置の移動用取手であって、本体の内部に格納される格納位置と、一端が本体上面から突出する使用位置との間で昇降可能な昇降アームと、昇降アームの一端に回転自在に取り付けられ、昇降アームが格納位置にある場合には先端が昇降方向に向かい、昇降アームが使用位置にある場合には先端が昇降方向と異なる使用方向に向かう回転アームと、回転アームに取り付けられ、超音波診断装置を移動させる際に握られるハンドルと、を有することを特徴とする。
【０００８】
本発明の超音波診断装置の移動用取手において、昇降アームの昇降位置を格納位置と使用位置との間の位置に調節する昇降位置調節機構と、回転アームの先端の方向を昇降方向と使用方向との間の方向にロックする回転ロック機構と、を備えることとしても好適である。
【発明の効果】
【０００９】
本発明は、超音波診断装置を容易に移動できるコンパクトな移動用取手を提供することができるという効果を奏する。
【発明を実施するための最良の形態】
【００１０】
以下、本発明の好適な実施形態について図面を参照しながら説明する。図１に示すように、超音波診断装置１０は、内部に電子回路や電源機器などが設けられた本体１１と、本体１１の上面１１ａに設けられたベース１２と、ベース１２に回転自在に取りつけられた操作卓１３と、ベース１２の上に設けられ、複数のアームが回転またはスライド可能に連接されたモニタ支持機構１４と、モニタ支持機構１４に取り付けられ、診断画像を表示するモニタ１５とを備えている。本体１１の底面には、床面１９で容易に移動することができるように、４つのキャスタ１６が取りつけけられている。本体１１のモニタ１５の表示面と操作卓１３のある側と反対側には、超音波診断装置１０を移動させるための移動用取手２０が取り付けられている。移動用取手２０は、本体に取り付けられたガイド３１にガイドされて上下方向に昇降する昇降アーム２１と、昇降アーム２１に回転自在に取り付けられた回転アーム２２と、回転アーム２２に取り付けられたハンドル２３とを備えている。ハンドル２３は超音波診断装置１０を移動させる際に作業者が握るものである。本体の側面には、昇降アーム２１の上下方向の位置を調節するためのノブ２４と、回転アーム２２のチルト角度を調節する押ボタン２６が設けられている。なお、図１において、操作卓１３が超音波診断装置１０の前方、移動用取手２０のある側が後方、本体１１から床面１９に向かう方向が下方向で、その反対方向が上方向である。
【００１１】
図２を参照しながら昇降アーム２１の昇降位置調節機構６０について説明する。昇降アーム２１は、溝型のフレーム３２と、フレーム３２の下に設けられた板ナット３７と、ガイド３１に回転自在に取り付けられた長ねじ３５とを備えている。長ねじ３５には回転ギヤ３６が取り付けられ、回転ギヤ３６にはガイド３１に回転自在に取り付けられたウォームギヤ３９がかみ合っている。ウォームギヤ３９の一端にはウォームギヤ３９を回転させるためのノブ２４が取り付けられている。ノブ２４は本体１１の外面側に配置されている。
【００１２】
上記のように構成された昇降位置調節機構６０において、ノブ２４を回転させるとノブ２４に取り付けられたウォームギヤ３９が回転し、ウォームギヤ３９にかみ合っている回転ギヤ３６が回転する。回転ギヤ３６は長ねじ３５に取り付けられているので、フレーム３２に設けられた板ナット３７は長ねじ３５の軸方向に沿って上下方向に相対的に移動する。長ねじ３５はガイド３１の固定板３８によって上下方向の移動が制限されているので、ノブ２４を回転させると昇降アーム２１が本体１１に対して上下方向に昇降する。
【００１３】
図３を参照しながら回転ロック機構７０について説明する。図３に示すように、昇降アーム２１の一端には回転アーム２２がシャフト４１の周りに回転自在になるように取り付けられている。昇降アーム２１は一端の中央に突部５１を備え、回転アーム２２はこの突部５１に嵌まり込む凹部５２を備えている。突部５１と凹部５２には同軸に孔が設けられており、この孔にシャフト４１が挿入され、回転アーム２２が昇降アーム２１に対して回転自在となるように取り付けられている。回転アーム２２の幅と厚さは昇降アーム２１の幅、厚さと同じであり、回転アーム２２が昇降アーム２１の長手方向に向かって延びた位置となった場合には、回転アーム２２の各側面は昇降アーム２１の各側面と略同一面となる。
【００１４】
回転アーム２２の凹部５２の一方の側面には、円周上に複数のロック歯４２が設けられている。また、回転アーム２２には側面には円形の穴４３が設けられている。穴４３にはロック歯４２に噛み合う歯を備える駒２５が穴４３の深さ方向にスライド自在になるように取り付けられている。駒２５と突部５１との間にはスプリング４４が取り付けられ、駒２５の歯をロック歯４２に押し付けている。駒２５の側面には押ボタン２６が設けられている。駒２５と、スプリング４４と、押ボタン２６と、ロック歯４２とは回転ロック機構７０を構成する。
【００１５】
押ボタン２６の表面の位置は昇降アーム２１の側面と略同一面となるように構成されている。そして、押ボタン２６が昇降アーム２１の側面と同一面にある場合には、駒２５の歯は回転アーム２２のロック歯４２に噛み合って、回転アーム２２がシャフト４１の回りに回転しないようにロックしている。押ボタン２６が押込まれると、駒２５が回転アーム２２に向かって移動するので、駒２５の歯は回転アーム２２から離れる方向に移動する。このため、押ボタン２６を押込むと駒２５の歯がロック歯４２から抜け、回転アーム２２が昇降アーム２１の回りに回転することができるようになる。回転アーム２２を回転させた後、押ボタン２６の押込みを止めると、駒２５はスプリング４４の力によって凹部５２の側面に押し付けられた状態となる。この状態で回転アーム２２を更に回転させ、ロック歯４２の位置と駒２５の歯の位置が合うと駒２５の歯はスプリング４４の力でロック歯４２の中に押込まれて回転アーム２２の回転をロックし、押ボタン２６の表面は昇降アーム２１の側面と同一位置まで戻る。回転アーム２２の凹部５２には、複数のロック歯４２が所定の角度ごとに設けられているので、回転アーム２２の昇降アーム２１に対する回転角度を適切な位置でロックすることができる。
【００１６】
図４（ａ）は移動用取手２０が使用位置にある状態を示している。図４（ａ）に示すように、移動用取手２０が使用位置にある場合には、昇降アーム２１の回転アーム２２の取り付けられている一端は、本体１１の上面１１ａよりも突出する位置となっている。そして、回転アーム２２は図３に示す回転ロック機構７０によって本体１１の後方に向かって略９０度回転した使用方向にロックされている。作業者は回転アーム２２に取り付けられたハンドル２３を握って超音波診断装置１０を押し引きし、床面１９の上で超音波診断装置１０を移動させる。図４（ａ）の点線で示すように、昇降位置調節機構６０のノブ２４を回転させることによって作業者の身長などに合わせて昇降アーム２１を上下に昇降移動させることができる。また、図４（ｂ）に示すように、押ボタン２６を押して回転アーム２２を回転させることで、回転アーム２２のチルト角度を作業者が作業しやすい使用方向に向けることができる。
【００１７】
図４（ｃ）に示すように、回転アーム２２のハンドル２３側の先端を昇降アーム２１の昇降方向と同一方向になるように回転をロックした状態でノブ２４を回転させると、昇降アーム２１を本体１１の内部に固定されたガイド３１の中に格納することができる。また、回転アーム２２は昇降アーム２１の長手方向と同一の方向にロックされた場合には、回転アーム２２の各側面は昇降アーム２１の各側面と略同一面となるので、ノブ２４を回転させることによって回転アーム２２の一部も本体１１に固定されたガイド３１の中に格納することができる。このように、昇降アーム２１は格納位置と使用位置との間で昇降可能であると共に、その上下方向の位置を調節することができるものである。また、回転アーム２２は昇降アーム２１が格納位置にある場合には、先端が昇降方向に向かい、昇降アーム２１が使用位置に有る場合には昇降位置と異なる方向に向かうものである。そして、昇降アーム２１の昇降位置と回転アーム２２の回転角度を適切な位置にすることによって、ハンドル２３の高さ、位置を作業者の体格にあった適切な位置にすることができる。
【００１８】
以上説明したように、本実施形態の超音波診断装置１０の移動用取手２０は、ハンドル２３の高さ、位置を作業者が超音波診断装置１０を容易に移動できる位置に調節することができ、作業者の身体疲労を低減することができるという効果を奏する。また、超音波診断装置１０を移動させない場合には、昇降アーム２１、回転アーム２２を本体１１の内部に格納してコンパクトにすることができるという効果を奏する。
【図面の簡単な説明】
【００１９】
【図１】本発明の実施形態における超音波診断装置の移動用取手を示す斜視図である。
【図２】本発明の実施形態における超音波診断装置の移動用取手の昇降位置調節機構を示す断面図である。
【図３】本発明の実施形態における超音波診断装置の移動用取手の回転ロック機構を示す部分断面図である。
【図４】本発明の実施形態における超音波診断装置の移動用取手が使用状態にある場合と格納状態にある場合とを示す説明図である。
【符号の説明】
【００２０】
１０  超音波診断装置、１１  本体、１１ａ  上面、１２  ベース、１３  操作卓、１４  モニタ支持機構、１５  モニタ、１６  キャスタ、１９  床面、２０  移動用取手、２１  昇降アーム、２２  回転アーム、２３  ハンドル、２４  ノブ、２５  駒、２６  押ボタン、３１  ガイド、３２  フレーム、３５  長ねじ、３６  回転ギヤ、３７  板ナット，３８  固定板、３９  ウォームギヤ、４１  シャフト、４２  ロック歯、４３  穴、４４  スプリング、５１  突部、５２  凹部、６０  昇降位置調節機構、７０  回転ロック機構。
【図１】
2009273507.tif 000003
【図２】
2009273507.tif 000004
【図３】
2009273507.tif 000005
【図４】
2009273507.tif 000006